Podtech/llm-jp-corpus-v4-ja_patent huggingface dataset:
(57)【要約】      （修正有）【課題】犬や猫などに立ち入られたくない場所に設置する、有効かつ安全な動物忌避装置を提供する。【解決手段】絶縁マット１上に、一対の極性の異なる裸電極線３，…をくし歯状に短い間隔で対向させて多数配設し、それぞれの裸電極線３，…と昇圧用コンデンサー４の出力側端子５とを母線２，２を介して接続し、前記昇圧用コンデンサー４の入力側端子６と直流電源７の出力端子８とを接続したことを特徴とする動物忌避装置。【選択図】図１
0003121705.tif 000002
【実用新案登録請求の範囲】
【請求項１】
絶縁マット１上に、一対の極性の異なる裸電極線３，…をくし歯状に短い間隔で対向させて多数配設し、それぞれの裸電極線３，…と昇圧用コンデンサー４の出力側端子５とを母線２，２を介して接続し、前記昇圧用コンデンサー４の入力側端子６と直流電源７の出力端子８とを接続したことを特徴とする動物忌避装置。
【考案の詳細な説明】
【技術分野】
【０００１】
この考案は動物忌避装置、詳しくは、猫や犬などの動物に侵入されては困る場所に設置し、動物の侵入を防ぐ為に用いる装置に関する。
【背景技術】
【０００２】
犬や猫など各種動物は、人間と共に、あるいは人間の周囲で生活しているが、日常生活において、これら動物に立ち入られたくない場所も多く存在しており、動物を原因とする近隣トラブルも多く発生している。
【０００３】
猫に例をとれば、猫は何故か自動車のボンネットやルーフに乗ってくつろぐのが大好きであり、又、自分の縄張りを主張する為、尿を自動車や家の周囲に放出するマーキングと呼ばれる困った習性もある。
【特許文献１】なし
【非特許文献１】なし
【考案の開示】
【考案が解決しようとする課題】
【０００４】
自身の飼い猫ならまだしも、他人の飼い猫や野良猫のこの様な行動や、庭先の植え込みや花壇に尿やフンをする迷惑行動にはほとんどの人は耐えられないはずであり、結果として動物の虐待や深刻な近隣トラブルにまで発展することもある。
【０００５】
本考案者は、動物に関するこの様なトラブルをなくすべく研究を行った結果、自動車のボンネットやルーフ上など動物に寄り付かせたくない場所に設置する、有効かつ安全な動物忌避装置を開発することに成功し、本考案としてここに提案するものである。
【課題を解決するための手段】
【０００６】
絶縁マット１上に、一対の極性の異なる裸電極線３，…をくし歯状に短い間隔で対向させて多数配設し、それぞれの裸電極線３，…と昇圧用コンデンサー４の出力側端子５とを母線２，２を介して接続し、前記昇圧用コンデンサー４の入力側端子６と直流電源７の出力端子８とを接続して動物忌避装置を構成することにより、上記課題を解決した。
【実施例】
【０００７】
図１はこの考案に係る動物忌避装置の一実施例の説明図である。
【０００８】
図中１はゴムやウレタンなど絶縁性を有する素材からなる絶縁マットであり、この絶縁マット１の表面側の側縁部には一対の母線２，２が配設されており、この母線２，２からくし歯状に短い間隔で被覆されていない銅線などからなる一対の極性の異なった裸電極線３，３が平行状態で対向して多数配設されている。
【０００９】
そして、前記一対の母線２，２には昇圧用コンデンサー４の一対の出力側端子５，５が接続されており、この昇圧用コンデンサー４の一対の入力側端子６，６にはバッテリーなどの直流電源７の出力端子８がそれぞれ接続され、直流電源７から昇圧用コンデンサー４に電力が供給される様になっている。なお、この実施例においては直流電源７として自動車用の１２ボルト２次電池を用い、昇圧用コンデンサー４によって約３００ボルトに昇圧する様にしたが、市販の民生用電気機器用の変圧整流器を用いて１００ボルト交流商用電源から１２ボルトに降圧した直流電流を用いても良い。
【００１０】
次に、この実施例の使用方法を説明する。自動車のボンネットやルーフの上など、猫などの動物の寄り付かせたくない場所に絶縁マット１を伸展しておき、昇圧用コンデンサー４に直流電源７から電流を供給する。この様な状態において、猫などの動物が絶縁マット１に近づき、足９などが絶縁マット１上に配設されている裸電極線３，３に触れると、昇圧用コンデンサー４に蓄えられていた高圧電流は瞬間的に足９に流れ、動物は電撃ショックを受け、ビックリして逃げ去ることになる。この様にして電撃ショックを受けた猫などの動物は、怖い思いをしたという学習効果により、二度と同じ場所には行かなくなる。
【００１１】
なお、昇圧用コンデンサー４に蓄えられている高圧電流は一度放電すると、高電圧が回復するまで数秒間かかるが、動物の手足などが触れた瞬間にだけ通電し、待機時には電力の消費はないので、エネルギー消費は極めて小さく、省エネルギーであり、又、高電圧ではあるが電流は極めて微弱であるので、危険性も全くない。
【００１２】
この様に、この考案に係る動物忌避装置は、ねこなどの動物に電撃ショックを与え、学習効果によって設置場所に近寄らせなくするものであり、他人の飼い猫の行動などに起因した深刻な近隣トラブルの発生を防ぐことが出来ると共に、動物虐待も結果として減らすことが出来、動物と人間との良好な共存状態を保つことが出来るすぐれた効果を有する。又、猫や犬などだけではなく、猿、猪、熊などの野生動物に対しても効果があり、これら動物に起因した被害を減少させることが出来る効果も有する。
【図面の簡単な説明】
【００１３】
【図１】この考案に係る動物忌避装置の一実施例の説明図。
【符号の説明】
【００１４】
１    絶縁マット
２    母線
３    裸電極線
４    昇圧用コンデンサー
５    出力側端子
６    入力側端子
７    直流電源
８    出力端子
９    足
【図１】
0003121705.tif 000003
(57)【要約】【課題】  野球初心者、中級者が簡単に上級者等の優れた投球フォーム、動作を修得することが可能な投球フォーム矯正練習具を提供する。【解決手段】  ボールを具備した保持部と、スプリングピンで中央部分が接続された中折れ部分を有する先端部分からなる練習具を利用することにより、野球初心者、中級者が優れた技術を有する上級者等の投球フォーム、動作を習得することが出来ると共に肩、肘等の故障を来たさない正しい投球フォームに矯正可能な練習具を提供する。【選択図】      図１
0003121709.tif 000002
【実用新案登録請求の範囲】
【請求項１】
ボールを具備した保持部とスプリングピンで中折れ接続部を有する先端部からなる投球フォーム矯正練習具。
【考案の詳細な説明】
【技術分野】
【０００１】
考案はスポーツ、レクリエーションとして最も広く愛好されている野球練習具に関する。
【背景技術】
【０００２】
野球は各種スポーツの中でも幼少年から老壮年にわたり今や国内外で最も広く愛好されているスポーツであり、近年プロ野球選手の米国大リーグへの挑戦で更に人気が高まっている。野球の投球練習に関しては恵まれた環境下でチーム、個々人で優れた指導者を得て、適切な練習を行っている例もあるが、大部分の愛好者は独自、所謂自己流の投球練習を行っているにすぎない。
【考案の開示】
【考案が解決しようとする課題】
【０００３】
このため、限られたプロ選手、上級者を除いて所謂愛好者においては、最も基本動作である投球フォームも一定せず、スピード、コントロール共満足すべき状態にある人が少ない。特に野球の投球練習は、ボール１個があれば塀や、壁に当てて手軽に練習できることから、幼少の頃からの独自、自己流の各人各様のフォームになっており、特別のフォーム矯正練習具についての提案はなされていない。
【課題を解決するための手段】
【０００４】
本考案者は、高度で安定的に優れた技術を有するプロ選手、上級者（以下上級者等と称する）の投球動作を注意深く観察、確認したところ、その腕の軌跡が安定的で極めて類似であることを見出し、この軌跡を踏襲することが可能となる練習具考案に至った。即ちボールを具備した保持部とスプリングピンで中折れ接続部を有する先端部からなる投球フォーム矯正練習具（以下練習具と称する）である。    
【考案の効果】
【０００５】
考案による練習具を使用して投球動作を行った場合、上級者等の動作に近似した腕軌跡の場合は、保持部と先端部のスプリングピンで接続した中折れ接続部は折れ曲がりを見せず、これよりずれた軌跡動作の場合は、動作の途中で中折れ部が折れ曲がりを来たす。このため中折れ部が折れ曲がりを見ない軌跡動作を体得し、繰り返すことにより、上級者等の安定で優れた投球動作が容易に体得出来ると共に肩、肘等の故障を来たさない正しい投球フォームに矯正することが出来る。
【考案を実施するための最良の形態】
【０００６】
考案に使用される投球フォーム矯正練習具の材質は特に規定されず、木材、プラスチック、軽量金属及びこれらの複合体も適用されるが、ポリエチレン、ポリプロピレン等プラスチック射出成型で安価・普及可能な同一形状品の提供が可能になる。保持部に具備するボールは、軟球、硬球いずれも適用可能であるが幼少年向けには類似形状の硬式テニスボールの適用でも目的を達する。更に保持部と中折れ接続部を持つ先端部分が異なる材質で構成される場合も本考案の目的に合致する。練習具の長さは特に規定されないが、屋外のみならず狭い室内での適用及び携帯に便利であることも加味され全長３０〜５０ｃｍが有用である。
【実施例】
【０００７】
（実施例１）
幅２０ｍｍ、厚さ５ｍｍ長方形断面で長さ１２cmのポリプロピレン製板状品を軟式野球ボールの中心部を貫通、一体化した保持部とこれに接続する、長さ１９cm、厚さ５ｍm、最大部幅５cmの長楕円状先端部をポリプロピレン樹脂で作成し、先端保持部寄り１cm部分を加工、金属スプリングピンで接続して中折れ接続部１箇所を持った練習具を作製した。
【産業上の利用可能性】
【０００８】
考案の練習具は小型、軽量、安価で携帯も簡単で、室内等狭い場所でも一人で容易に使用が可能であり、上級者等の優れた投球動作を修得することが可能な練習具で、野球初心者、中級者に広く利用可能な投球フォーム矯正練習具である。
【図面の簡単な説明】
【０００９】
【図１】考案の中折れ接続部を有する矯正練習具の概観図である。
【符号の説明】
【００１０】
１    保持部
２    ボール
３    先端部
４    中折れ接続部
５    スプリングピン
【図１】
0003121709.tif 000003
(57)【要約】【課題】ビニール袋の側縁において、バリを無くし、或いはスムーズ、また凹凸を具備しないようにすることを課題とする。【解決手段】ビニール袋の改良として、特に袋溶接部の外側において該溶接部より厚く、且つ、縁部が比較的スムーズな一定長さの鈍角部を延伸する。また、袋のビニルシートの厚さは０．１ｍｍ以上であることが望ましく、この袋は、冷用、及び／或いは、熱用の敷き袋、管状物、充気物品を問わずに用いることができるように形成することが望ましい。【選択図】  図２
0003121706.tif 000002
【実用新案登録請求の範囲】
【請求項１】
ビニール袋において、袋溶接部の外側において該溶接部より厚く、且つ、縁部が比較的スムーズな一定長さの鈍角部を延伸することを特徴とするビニール袋。
【請求項２】
請求項１記載のビニール袋において、その袋のビニルシートの厚さが０．１ｍｍ以上であることを特徴とするビニール袋。
【請求項３】
請求項１記載のビニール袋において、前記袋は、冷用、及び／或いは、熱用の敷き袋、管状物、充気物品を問わずに用いることが可能であることを特徴とするビニール袋。
【考案の詳細な説明】
【技術分野】
【０００１】
ビニール袋の改良で、特に０．１ｍｍ厚以上を具備するビニール袋の縁部改良に関り、前記袋を例えば冷用及び／或いは熱用の敷き袋を問わず用いることが可能である。
【背景技術】
【０００２】
ビニール袋は我々の生活に常時見られ、また我々の生活においてビニール袋は切っても切れない関係のため、環境保全団体などからも廃棄物の減少が叫ばれているが、少なからず反発を招いていることからもビニール袋がいかに生活に対して重要であるかが分かる。
【０００３】
ビニールは高分子構造で、不透気、非浸水という特性を具えているため物品を収納することができ、更に液体に対しても顕著な効果を持つ。前記包装用ビニール袋或いは我々が良く言うレジ袋以外にも、例えば厚さが０．１ｍｍ以上の比較的厚い袋を使用することで物品を収納する能力がさらに強化され、例えば冷用及び/或いは熱用の敷き袋を問わず用いることができる。本考案の冷用及び／或いは熱用敷き袋に言及する理由は、液相と固相間の交換のような相の変化を具備するため、ビニール袋の特性が分かることにある。
【０００４】
従来のビニール袋構造は、ビニル布或いはシートに高周波溶接を組み合わせることで、図１に示すような接合箇所を形成し、その封止縁Ａは高周波溶接からなり、溶接後更に外周部分を寸断或いは裁断している。
【考案の開示】
【考案が解決しようとする課題】
【０００５】
これを検査すると溶接部位が袋の最外縁を形成し、寸断或いは裁断を問わず、その縁部においてある程度の厚さを持った側縁が、非平坦な起伏を形成し、我々が指でその縁部に滑らせた時、「非平坦」且つ更に「突起」ような「バリ」が感じられるため、製品の品質にマイナス面の影響が生じ且つ例えば冷用及び／或いは熱用の敷き袋を問わず保温容器のようなその他の製品を入れた場合に常に傷付き、及び製品に損害が生じるため、特に０．１ｍｍ以上のビニール袋にどのようにしてバリを無くし、或いはスムーズ、また凹凸を具備しない側縁を形成させることが、我々の研究と検討に値するものであった。
これに鑑み出願人は、長年に渡る袋類の製品開発と生産販売の経験に基づいて、更に研究に励むことにより上記欠陥の克服に努力し、度重なる実験を経たことで本考案の「ビニール袋の改良」を創作するに到った。
【課題を解決するための手段】
【０００６】
請求項１の発明は、ビニール袋の改良において、袋溶接部の外側において該溶接部より厚く、且つ、縁部が比較的スムーズな一定長さの鈍角部を延伸することを特徴とする、ビニール袋の改良としている。
請求項２の発明は、請求項１記載のビニール袋の改良において、その袋のビニルシートの厚さが０．１ｍｍ以上であることを特徴とする、ビニール袋の改良としている。
請求項３の発明は、請求項１記載のビニール袋の改良において、前記袋は、冷用、及び／或いは、熱用の敷き袋、管状物、充気物品を問わずに用いることが可能であることを特徴とする、ビニール袋の改良としている。
【実施例】
【０００７】
更に一歩進んで本考案の具体的な技術内容を開示するため、まず図面を見ていただきたい。図１が従来のビニール袋の見取図で、図２が本考案のビニール袋の見取図である。
【０００８】
図２に示すように、基本的に従来のビニール袋を改良するため、本考案の袋１の封止箇所である溶接部１１の外周で、一定幅が小さい鈍角部１２を追加設置し、該鈍角部１２が文字どおり垂直縁部に鋭利な起伏を持たせず、厚さが溶接部１１より大きくなり、つまり比較的鈍化性を呈することで、従来の袋縁部による切り傷性或いは刺傷性の不良状態を生じさせない。
【０００９】
本考案の鈍角部１２の形成が実施可能なことであるを証明するため、ホットエンボッシング(例えば高周波エンボス)に隣接するがその間に間隙を具備する刃型で行い、また溶接時、該ホットエンボッシングが押圧して加熱溶接時に、ビニール袋の溶接部１１のビニール材の両側を押出すことにより、比較的厚い鈍角部１２を形成することができる。
【００１０】
そのため本考案を実施することで、厚さが溶接部１１より厚く且つ縁部が比較的鈍化した鈍角部１２の側縁を得ることで、切り傷或いは刺傷の問題を改善できる。
【００１１】
本考案に開示したものは、好ましい実施例の１つであり、各種局部的な改変或いは修飾について本考案の技術的思想に基づき、当該技術を熟知する者が、容易に推察できるものも本考案の実用新案登録請求の範囲に属するものとする。
【００１２】
上記をまとめると本考案の目的、手段と効果について、従来の技術特徴とは異なり実用新案権登録の法定要件を満たしているのため法律に則ってここに出願する。審査委員皆様の詳細な審査を受けることで、一日も早く登録していただくよう切に願います。
【図面の簡単な説明】
【００１３】
【図１】従来のビニール袋の見取図。
【図２】本考案のビニール袋の見取図。
【符号の説明】
【００１４】
1   袋
11  溶接部
12  鈍角部
A   封止縁
【図１】
0003121706.tif 000003
【図２】
0003121706.tif 000004
(57)【要約】      （修正有）【課題】パソコンマウスに平板の電気抵抗体を貼り付けるに当たりこれを歪み無く其の球体には適当でないフイルムをうまくマウスの曲面に適合した帯状電気抵抗フィルムの提供。【解決手段】Ｖ字形フイルムを其の開口部を引き寄せ接着すると、マウスの胴体に当たる部分は自動的にマウスの曲面に丁度良い角度で当たる事になる、そしてこの引き寄せ角度の大小で曲面に当たる角度を調整できる、しかしてマウスの表面の滑らかさを失わない。【選択図】図２
0003121788.tif 000002
【実用新案登録請求の範囲】
【請求項１】
パソコンマウスの上部球面体の上に図１のようなＶ字形に裁断した電気抵抗体平板フイルムを球面に馴染む様に張り付けることを特徴とする電気抵抗体フイルム
【考案の詳細な説明】
【技術分野】
【０００１】  本考案は、パソコンマウスの暖房に使用するマウス上部に貼り付けるフイルムの球面に馴染む形に裁断したフイルムの事である。
【背景技術】
【０００２】  パソコンマウスに暖房用の電気抵抗体フイルムを貼り付けるとき平板フイルムではマウスの球面に馴染まずフイルムに手繰れを生じ其れが原因でスイッチングの圧力で炭素抵抗体にひび割れを生じ通電しなくなることがある。
【考案が解決しようとする課題】
【０００３】この平板フイルムを球面に馴染むように貼り付けることで電気抵抗体のひび割れを無くし体裁の良い形にフイルムを貼り付ける
【課題を解決するための手段】
【０００４】電気抵抗体フイルムをＶ字形に裁断してこのＶ字の上の開いた部分を閉じる大きさに従って下の部分は立体的に球面に沿う形で歪んできます。
【考案を実施するための最良の形態】
【実施例】
【０００５】  図１は、本考案装置の電気抵抗体フイルムのマウス上部球面に貼り付ける為に工夫されたＶ字形に裁断した電気抵抗体フイルムである。
図２は、図１のフイルムをマウス表面に馴染む形で貼り付けた図である。
【考案の効果】
【０００６】  以上の方法で貼り付けた電気抵抗体フイルムはマウス曲面に馴染むため手に滑らかと同時にスイッチングの機能面にも良い結果を得る。
【図面の簡単な説明】
【０００７】
【図１】フイルム状の電気抵抗体をＶ字形に裁断した形を示した平面図である。
【図２】パソコンマウスに電気抵抗体を其の開いた口を縮めながらその球体になじむように接着した図である。
【符号の説明】
【０００８】Ａ    フイルムに印刷された炭素電気抵抗体
Ｂ    良好導電塗料
Ｃ    パソコンマウス
Ｄ    電気抵抗体
【図１】
0003121788.tif 000003
【図２】
0003121788.tif 000004
【手続補正書】
【提出日】平成18年1月25日(2006.1.25)
【手続補正１】
【補正対象書類名】実用新案登録請求の範囲
【補正対象項目名】全文
【補正方法】変更
【補正の内容】
【実用新案登録請求の範囲】
【請求項１】
パソコンマウスの暖房の時に、マウスの上面に帯び状電気抵抗フイルムを使用する為、このフイルムをマウス上面の球形になじむように平板のフイルムを手繰れなく密着させ、Ｖ字型に裁断した帯状電気抵抗フイルム。
(57)【要約】      （修正有）【課題】ルーペを一体化した事で携帯にも便利で、またボールペン本体とルーペの接続部分は１８０度回転可能で、更に挟持部分全体のルーペは３６０度回転可能なので細かい文字をあらゆる角度から自由に拡大して見る事が出来、かつ握り替えるだけでルーペを楽に使用することが出来るボールペンの提供。【解決手段】ボールペン本体とルーペの接続部分は１８０度回転可能で、更に挟持部分全体のルーペは上下左右に３６０度回転可能なボールジョイントにてボールペンに接続した。また、ルーペ部分はポケットへ挿入するとき挟持部の役目を果たしている。【選択図】図１
0003121785.tif 000002
【実用新案登録請求の範囲】
【請求項１】
ルーペ付きボールペンにおいて、ボールペンをポケットに収納するときの挟持部分全体がルーペと成っており、またルーペとボールペンは一体で構成されていて、更にルーペが３６０度回転可能にボールペンと接続されていることを特徴とする筆記具。
【考案の詳細な説明】
【技術分野】
【０００１】
本考案は、ボールペンにおけるポケット等への挟持部分全体がルーペとなっている筆記具である。
【０００２】
ボールペンで筆記使用している際、ルーペを改めて探す必要が無いように、ルーペをボールペンと一体構造とした。
【０００３】
また、ルーペはボールペンと３６０度回転可能に接続したので文字と物を自由な角度から見る事ができる。
【背景技術】
【０００４】
あらゆる場所にて小さい文字や物を拡大して見る時にルーペが必要となるが、ボールペンのキャップ部分にルーペを一部、取り付けたり一定方向だけの動きをする取付方では、不便であった。
【０００５】
ルーペを携帯していても自由な角度から使用する事が難しい物は制限範囲で使用するか、ルーペ単独の物を忘れた場合は、諦めるしかなかった。
【特許文献１】実公昭５４−０２８０２４
【特許文献２】実全昭６２−１３１８８９
【考案の開示】
【考案が解決しようとする課題】
【０００６】
普段の生活の中で小さい文字や物を見る時、余りにも小さ過ぎて肉眼では見にくい事が生じたが、常にルーペ単独を携帯する事は面倒である。
【０００７】
従来、ボールペンにルーペが付属したものでは、ルーペを誤って紛失したり、また紛失してもルーペだけを補充するには新たにルーペ付きボールペンを購入しなければならなかった。
【０００８】
またボールペンのキャップ部分にルーペを一部、取り付けた一定方向だけの動きをする物は、動きに限りが有る事は不自由である。
【０００９】
その事から常に身近に存在している筆記用具であるボールペンとルーペを一体化した事で携帯にも便利、またボールペン本体とルーペの接続部分は１８０度回転可能で、更に挟持部分全体のルーペは３６０度回転可能なので細かい文字をあらゆる角度から拡大的に自由に見る事が出来、かつボールペンを使用しているときの握り方と同じ握り方でボールペンを握り替えるだけでルーペを楽に使用することが出来る。
【００１０】
さらにルーペ本体に蛍光色の黄色を使用することで全てを拡大的に見る場合に集光率が上がり通常以上の明るい見え方が出ることにより、事が生じた時、その場で敏速な対応と楽で確実な使用方法が取れる。
【００１１】
また紛失した場合にも直ぐに気付く事により前述の欠点を解決しようとする物である。
【課題を解決するための手段】
【００１２】
本考案のルーペ付き筆記具は名称の通りボールペンの挟持部分全体がルーペで有り、また挟持部の役目も果たしている事から一体接続されている。
【００１３】
本考案のルーペ付きボールペンは図１に示すように、ボールペン本体1とルーペ２の接続部が１８０度前後回転式接３に成っており、更に１８０度前後回転式接続３とルーペ２の接続部は３６０度回転式接続部４で構成されている。
【００１４】
その事からルーペとボールペンは確実に一体化されているので、またルーペを使用する場合には、あらゆる角度から拡大的に自由に見る事が出来るので、問題点を解決している。
【考案の効果】
【００１５】
本考案は、ルーペ付筆記具であるから、勿論ものを書く事と、例えば衣類のポケットや挟み込む場所の様に狭いスペースでも有れば、何処でも手軽に携帯する事が出来る。
【００１６】
ルーペとボールペンは、一体構成に成っている為、両方を敏速に使用する事が可能なので携帯用のルーペとしては非常に役に立つ。
【００１７】
図２はボールペンとルーペの接続部の詳細図であり、凹部５については係止の役目をする。
【００１８】
ベアリングとバネが収まる部分６に１８０度前後回転式接続３がベアリング７とバネ８の収納後に密着して入る。
【００１９】
ベアリング７は各凹部５に入ることで角度を決めて一時的に止めることが出来スムーズな１８０度の回転をさせる。
【００２０】
バネ８はベアリング７に対して程よい動きが取れる様に力を加える。
【００２１】
ボールペンをポケットに収納する時の挟持部分全体に、ルーペ２を取り付けているので、ボールペン本体１とルーペ２の接続部分は１８０度前後回転式接続３、その接続部分には各角度で一時的に止める為、凹部５は係止の役割を果たし、ベアリング７とバネ８の組み合わせによって程よい調整を取る事が出来、それとルーペ２と１８０度前後回転式接続３の接続部分は、先端に球体が取り付けられた棒状のボールジョイントを差し込んでいる為、３６０度回転式接続４の自由な動きを取り入れる事が出来た。
【図面の簡単な説明】
【００２２】
【図１】本考案のルーペ付筆記具図
【図２】ボールペンとルーペの接続部分と関連の詳細図
【図３】ボールペンとルーペの接続部分と関連の詳細図
【図４】ボールペンとルーペの接続部分と関連の詳細図
【図５】ボールペンとルーペの接続部分と関連の詳細図
【図６】ボールペンとルーペの接続部分と関連の詳細図
【符号の説明】
【００２３】
１  ボールペン本体
２  ルーペ
３  １８０度前後回転式接続
４  ３６０度回転式接続
５  凹部
６  ベアリングとバネが収まる部分
７  ベアリング
８  バネ
【図１】
0003121785.tif 000003
【図２】
0003121785.tif 000004
【図３】
0003121785.tif 000005
【図４】
0003121785.tif 000006
【図５】
0003121785.tif 000007
【図６】
0003121785.tif 000008
(57)【要約】      （修正有）【課題】自動車はフットブレーキ操作時、オートバイはフットブレーキ及びハンドブレーキ操作時にブレーキランプが点灯し後続車に知らせているがエンジンブレーキや勾配の急な上り坂の場合の減速は分りにくい、加速している場合も分りにくい、自転車もブレーキランプは付いていないが同様に分りにくい為に交通事故の原因にもなっている。【解決手段】本考案は加速減速のセンサーとして振子スイッチ、タイマー回路、ＬＥＤ点滅回路の組合せた簡易加速減速表示器である。本考案の減速加速表示器を用いる事のより前の乗物がブレーキランプの点灯する減速も、それ以外のエンジンブレーキなどの減速も加速も知る事ができるのでより交通安全に貢献できる。【選択図】図３
0003121787.tif 000002
【実用新案登録請求の範囲】
【請求項１】
自動車はフットブレーキ操作時、オートバイはフットブレーキ及びハンドブレーキ操作時にブレーキランプが点灯し後続車に知らせているがエンジンブレーキや勾配の急な上り坂の場合の減速は分りにくい、加速している場合も分りにくい、自転車もブレーキランプは付いていないが同様に分りにくい、加速減速のセンサーとして振子スイッチを用いた事を特徴とする減速加速表示器である。
【請求項２】
減速加速表示器に使用していている振子スイッチは一つのスイッテであるが、減速と加速ののセンサーとして使用出来る事を特徴とする振子スイッチである。
【考案の詳細な説明】
【技術分野】
【０００１】    本考案は移動物体が減速しているか加速しているか確認できる装置である。
【背景技術】
【０００２】    自動車よりの信号を利用したり、圧力センサーなどを用いた減速表示装置などが販売されていますが高価な為あまり普及してない。
【考案の開示】
【考案が解決しようとする課題】
【０００３】    自動車はフットブレーキ操作時、オートバイはフットブレーキ及びハンドブレーキ操作時にブレーキランプが点灯し後続車に知らせているがエンジンブレーキや勾配の急な上り坂の場合の減速は分りにくい、加速している場合も分りにくい、自転車もブレーキランプは付いていないが同様に分りにくい為に交通事故の原因にもなっている。
【課題を解決しようとする手段】
【０００４】    本考案は加速減速のセンサーとして振子スイッチ、タイマー回路、ＬＥＤ点滅回路の組合せた簡易加速減速表示器である。
【考案の効果】
【０００５】    減速加速表示器を用いる事のより前の乗物がブレーキランプの点灯する減速も、それ以外の減速も加速も知る事ができるのでより交通安全に貢献できる。
【考案を実施するための最良の形態】
【０００６】    電源にはシガーライターのＤＣ１２Ｖ又は乾電池を用いて加速減速のセンサーとして振子スイッチ、タイマー回路、ＬＥＤ点滅回路収納したコンパクトの箱形とする。
【実施例】
【０００７】    以下添付図面に従って実施例を説明する、自動車の場合減速した時は  ２．振子スイッチは進行方向に振れ  ７．電極Ａと  ８．電極Ｂが瞬時接続する、この信号を受け  ３．タイマー回路が動作し指定された時間  ４．減速時赤ＬＥＤ点滅回路が動作しＬＥＤ点灯する。【０００８】  加速した時は  ２．振子スイッチは後方向に振れ  ７．電極Ａと  ９．電極Ｃが瞬時接続する、この信号を受け  ３．タイマー回路が動作し指定された時間  ５．加速時青ＬＥＤ点滅回路が動作し青ＬＥＤ点灯する。
【図面の簡単な説明】
【０００９】
【図１】減速加速表示器ブロック図
【図２】振子スイッチ図
【図３】減速加速表示器外観図
【符号の説明】
１．電源（乾電池又はバッテリー）
２．振子式減速加速スイッチ
３．タイマー回路
４．減速時赤ＬＥＤ点滅回路
５．加速時赤ＬＥＤ点滅回路
６．振子
７．電極Ａ
８．電極Ｂ
９．電極Ｃ
１０．基板
１１．赤ＬＥＤ
１２．青ＬＥＤ
１３．樹脂ケース
【図１】
0003121787.tif 000003
【図２】
0003121787.tif 000004
【図３】
0003121787.tif 000005
【手続補正書】
【提出日】平成17年11月30日(2005.11.30)
【手続補正１】
【補正対象書類名】実用新案登録請求の範囲
【補正対象項目名】全文
【補正方法】変更
【補正の内容】
【実用新案登録請求の範囲】
【請求項１】
自動車、オートバイ、自転車などの移動物体を後方から見て減速又は加速しているか判断出来る機器で、加速減速のセンサーとして振子スイッチを用い移動物体が静止しようとした時は振子が前に振れ前の接点に接触した事をとらえタイマーにより数秒間発光体である赤ＬＥＤを点灯又は点滅発光する、又は加速しようとした時は振子が後ろに振れ後ろの接点に接触した事をとらえタイマーにより数秒間発光体青又は緑のＬＥＤを点灯又は点滅発光する、振子スイッチとタイマー回路とＬＥＤ表示を組合せを特徴とする減速加速表示器である。
【請求項２】
減速加速表示器に使用していている振子スイッチは一つのスイッチであるが、減速と加速のセンサーとして使用出来る事を特徴とする請求事項１記載の振子スイッチである。
【手続補正書】
【提出日】平成18年2月9日(2006.2.9)
【手続補正１】
【補正対象書類名】実用新案登録請求の範囲
【補正対象項目名】全文
【補正方法】変更
【補正の内容】
【実用新案登録請求の範囲】
【請求項１】
自動車、オートバイ、自転車などの移動物体を後方から見て減速又は加速しているか判断出来る機器で、加速減速のセンサーとして振子スイッチを用い移動物体が静止しようとした時は振子が前に振れ前の接点に接触した事をとらえタイマーにより数秒間発光体である赤ＬＥＤを点灯又は点滅発光する、又は加速しようとした時は振子が後ろに振れ後ろの接点に接触した事をとらえタイマーにより数秒間発光体青又は緑のＬＥＤを点灯又は点滅発光する、振子スイッチとタイマー回路とＬＥＤ表示を組合せを特徴とする減速加速表示器である。
【請求項２】
減速加速表示器に使用していている振子スイッチは一つのスイッチであるが、減速と加速のセンサーとして使用出来る事を特徴とする請求事項１記載の減速加速表示器。
(57)【要約】【課題】  漬物を漬けるときには漬け具合によってあるいは漬物によって重石に変更することが必要であるが重石を変更する時には大変な労力を必要とする。この労力を減少し楽に好みの漬物を漬ける装置を提供する。【解決手段】  本考案の目的は高さを自在に調整でき且つ固定可能とした支柱に通したブラケットと該ブラケットから延びるアームの一端を作用点とし圧力支点の反対側には移動可能とした荷重点を設けた梃子の原理を利用した漬物装置によって達成される。【選択図】    図１
0003117113.tif 000002
【実用新案登録請求の範囲】
【請求項１】
高さを自在に調整でき且つ固定可能とした支柱に通したブラケットと該ブラケットから延びるアームの一端を作用点とし圧力支点の反対側には移動可能とした荷重点を設けた梃子の原理を利用した漬物装置。
【考案の詳細な説明】
【技術分野】
【０００１】
本考案は漬物装置に関し特に梃子の原理を利用した漬物の漬かり状態に応じてその重石を容易に変更できる漬物装置に関する。
【背景技術】
【０００２】
漬物は日本人の伝統的な食物の一つでありどこの家庭でも漬けたり食したりしている。伝統的な食物であるが故に漬物はうまく漬けることが好まれるのであるが、なかなかうまく漬けることは難しい。特に重石の加減程度が難しく且つ重石の変更が厄介である。これらを改善する為の提案がある。例えば重鍾をバネに吊ることにより重鍾を次第に軽くして重さを変更していた（特許文献１）。しかしながらこの提案はバネの力だけの提案であり本考案の目的を解決する事は出来ない。
【０００３】
【特許文献１】特開昭５５−１３０７８号公報
【考案の開示】
【考案が解決しようとする課題】
【０００４】
漬物を漬けるときには漬け具合によってあるいは漬物の量によって重石を変更することが必要であるが、重石を変更するときには大変な労力を必要とする。この労力を減少し楽に好みの漬物を漬ける装置を提供する。
【課題を解決するための手段】
【０００５】
本考案の目的は高さを自在に調整でき且つ固定可能とした支柱に通したブラケットと該ブラケットから延びるアームの一端を作用点とし圧力支点の反対側には移動可能とした荷重点を設けた梃子の原理を利用した漬物装置によって達成される。
【考案の効果】
【０００６】
本考案の装置は梃子の原理を利用しているので、この装置に掛けてある重石の位置を変更することによって圧力支点即ち漬物に掛かる荷重を極く容易に変更することが出来るのである。
【考案を実施するための最良の形態】
【０００７】
本考案の高さを自在に調整できるとは例えば昔の自在鍵に応用された原理であって漬物の最高点の位置にアームが略水平になるように合わせてブラケットの位置を調整可能とすることでありそれを達成する方法として、支柱が四角の場合には一辺の大きさに対してやや大きめの相似形の穴の空けたブラケットを支柱に通す方法が好ましく使用できる。支柱又はブラケットの穴の形状は特に限定されないが円形や四辺形などが好ましく使用できる。漬物の嵩が減少してアームの他端方向の位置が下がったときはその高さの位置に応じてブラケットの位置を適宜下げればよいが頻繁に位置を変更する必要はない。少しの傾きは荷重の大きさに大きく影響しない。
【０００８】
ブラケットから延びるアームとは支柱に通したブラケットの一端に連結されたアームのことでありその一端に対する反対側のいわゆる他端方面には漬物に圧力を与える圧力点があり更にその先には荷重が存在するような位置関係になる。圧力点の位置は任意でよいが漬物容器のほぼ中心に位置することが好ましい。また荷重点は圧力点よりも更に先に存在していてその位置は自由に変更できることが好ましい。アームの支点と圧力点との距離に対して圧力点と荷重点と荷重点の距離の比を変更する事によって漬物に掛かる圧力を容易に変更することができる。つまり圧力点を決定すれば荷重点を変更する事によって同一の重石を使用していても漬物に掛かる力を変えることができるのである。
【産業上の利用可能性】
【０００９】
本考案の漬物装置は全国で行われている野菜を中心とした漬物を漬ける際に好ましく利用される。
【図面の簡単な説明】
【００１０】
【図１】本考案の斜視図である。
【符号の説明】
【００１１】
１        台座
２        支柱
３        支点ピン
４        支点ピン
５        おもり
６        容器
７        ブラケット
８        取手
９        取手
１０        アーム
１１        ブラケット
１２        荷重点
１３        圧力支点
１４        作用点
【図１】
0003117113.tif 000003
(57)【要約】      （修正有）【課題】メッシュ等の生地を使用することなく、上衣本体により通気性を持たせ、夏季間における着用時にできるだけの涼しさを持たせ不快感を少なくしようとするもの。【解決手段】上衣本体の袖の内側と前身頃と後身頃の中間にスリットを設け、このスリットを所要間隔で連結してスリットのより以上の広がりを防止自在とした上衣である。【選択図】図１
0003117116.tif 000002
【実用新案登録請求の範囲】
【請求項１】
上衣本体の袖の内側と前身頃と後身頃の中間にスリットを設け、このスリットを所要間隔で連結してスリットのより以上の広がりを防止自在とした上衣。
【考案の詳細な説明】
【技術分野】
【０００１】
本考案はワイシャツ、半袖シャツ、長袖シャツ等の上衣の改良に関する。
【背景技術】
【０００２】
ワイシャツ、半袖シャツ、長袖シャツ等の上衣において、胴脇や袖の内側などの目立ない位置にメッシュを設けて通気性を持たせたものがあるが、上衣本体の下地となる素地にメッシュを継ぎ足すなどの作業が増えると共に、継ぎ足し部分が厚手となって着心地が悪くなるなどの欠点がある。
【考案の開示】
【考案が解決しようとする課題】
【０００３】
メッシュ等の生地を使用することなく、上衣本体の下地となる素地の袖の内側と前身頃と後身頃の中間にスリットを設けることにより通気性を持たせ、夏季間における着用時にできるだけの涼しさを持たせ不快感を少なくしようとするものである。
【課題を解決するための手段】
【０００４】
上衣本体の袖の内側と前身頃と後身頃の中間にスリットを設け、このスリットを所要間隔で連結してスリットのより以上の広がりを防止自在としたものである。
【考案の効果】
【０００５】
本考案の効果として、メッシュ等の生地を継ぎ足すことなく作業の簡便化ができ、しかも袖の内側と胴脇は人目につきにくいので体裁は普通のシャツと変わりなく着用でき、又新鮮な空気の流入と蒸れた熱の排熱により上衣内部は蒸れることなく涼しく快適に過ごすことができる。
【実施例】
【０００６】
本案を図示の実施例により詳記すると、上衣本体１の袖２の内側と、前身頃３と後身頃４の中間にスリット５を設け、このスリット５を所要間隔で連結してスリット５のより以上の広がりを防止自在としたものである。
【０００７】
スリット５の連結手段としては糸等により５ｃｍ間隔ぐらいに綴じても良いし、又編み上げ式に綴じてもよい。綴じ間隔が長くなると涼しくはなるが型崩れや体裁が悪くなる恐れがあり、適当な綴じ間隔は１〜１０ｃｍである。
【０００８】
使用に際しては通常の上衣のように着ればよく、着用によってスリット５から新鮮な空気が流入すると共に、上衣内部の蒸れた熱は排熱されて通気性に優れ、上衣内部は蒸れることなく涼しく快適に過ごすことができる。
【図面の簡単な説明】
【０００９】
【図１】本考案に係る上衣の正面説明図。
【図２】同側面拡大説明図。
【符号の説明】
【００１０】
１：上衣本体
２：袖
３：前身頃
４：後身頃
５：スリット
【図１】
0003117116.tif 000003
【図２】
0003117116.tif 000004
(57)【要約】      （修正有）【課題】電力消耗を大幅に減少させ、最少の数量の発光源で、大面積の発光効率を達成する両尖型ランプを提供する。【解決手段】発光源１８は、導線２０により、挟線素子１２に連接される。挟線素子１２が導線２０を挟固し、且つ、導線２０は、反射膜１６と透光管体１０の間に位置し、反射膜１６により、導線２０を遮蔽し、発光源１６は、発光ダイオード、及び、タングステン灯から選択できる。透光管体１０の挟線素子１２上に、金属保護素子２２を設置して、挟線素子１２と導線２０に提供する。【選択図】図１
0003117109.tif 000002
【実用新案登録請求の範囲】
【請求項１】
両尖型ランプであって、
二端が、それぞれ、電極接点を設け、電源を連接する透光管体と、
前記透光管体内に設置される導光体と、
前記導光体の一端上に設置され、前記電極接点を連接する少なくとも一つの発光源と、
からなることを特徴とする両尖型ランプ。
【請求項２】
前記発光源は、導線連接により、前記電極接点に連接されることを特徴とする請求項１に記載の両尖型ランプ。
【請求項３】
前記電極接点上は、更に、金属保護素子を設置することを特徴とする請求項１に記載の両尖型ランプ。
【請求項４】
前記発光源は、嵌設により、前記導光体上に設置することを特徴とする請求項１に記載の両尖型ランプ。
【請求項５】
前記発光源は、粘設により、前記導光体上に設置することを特徴とする請求項１に記載の両尖型ランプ。
【請求項６】
前記発光源は、発光ダイオード、或いは、タングステン灯であることを特徴とする請求項１に記載の両尖型ランプ。
【請求項７】
前記導光体一側内に、更に、反射膜を有し、前記発光源の発光時に、前記導光体が伝導する光線を反射することを特徴とする請求項１に記載の両尖型ランプ。
【請求項８】
前記導光体一側内に、更に、反射膜を有し、前記導線は、前記反射膜と前記透光管体間に位置し、前記反射膜により、前記導線を遮蔽することを特徴とする請求項２に記載の両尖型ランプ。
【請求項９】
前記透光管二端は、更に、それぞれ、挟線素子を設置し、前記導線を挟固して、前記電極接点となることを特徴とする請求項２に記載の両尖型ランプ。
【考案の詳細な説明】
【技術分野】
【０００１】
本考案は、照明装置に関するものであって、特に、消耗電量が低く、発光面積が大きい両尖型ランプに関するものである。
【背景技術】
【０００２】
近年、電子製品の使用が普遍的で、一般の車両のブレーキランプ、照明灯、或いは、バイクの方向指示器等にも使用されている。その中でも、車両上のランプは、反応速度が速く、使用寿命が長く、高輝度であることが要求される。上述の要求を満たさないと、交通事故の発生に繋がる。
【０００３】
車両用電子製品は、通常、灯体は外殻内に装着され、外殻は、所定の装着位置に装着されており、この灯体は、以前は、タングステン灯を装着していたが、科学技術の発展に伴い、発光ダイオード(Light Emitting Diode，LED)により代替されている。発光ダイオードは、公知のタングステン灯と比べると、体積が小さい、発熱量が少ない、反応速度が速い、使用寿命が長い等の長所があるが、発光ダイオードが形成する光源は、点状であり、光源型式では、複数個の発光ダイオードを使用して、その輝度と照射面積を増加させるので、灯源形状も大きな変化を加えられない。また、複数の発光ダイオードを使用するので、消耗電量も増加し、経済的ではない。
【考案の開示】
【考案が解決しようとする課題】
【０００４】
本考案は、両尖型ランプを提供し、導光体により光線を伝導して発光させ、公知技術が複数の発光ダイオードを使用する発光模式と比較して、電力消耗を大幅に減少させることを目的とする。
【０００５】
本考案は、両尖型ランプを提供し、導光体により光線を伝導して発光させ、最少の発光ダイオードで、大面積の発光効果を得ることをもう一つの目的とする。
【課題を解決するための手段】
【０００６】
本発明によると、両尖型ランプは透光管体を有し、透光管体の二端は、それぞれ、電極接点を設け、電源を連接し、且つ、透光管体内に、導光体を設置すると共に、導光体の一端は、少なくとも一つの発光源を設置し、この発光源は、二つの電極接点に接続される。
【考案の効果】
【０００７】
本考案は、電力消耗を大幅に減少させ、最小の数量の発光源で、大面積の発光効率を達成する。
【考案を実施するための最良の形態】
【０００８】
本発明の両尖型ランプは、ブレーキランプ、方向指示器、及び、ハイマウントブレーキランプ灯の車両の照明設備上に装着され、このランプは、発光源の発光により、大面積の発光領域を形成し、効果的に、発光源の使用数量を減少させる。
【０００９】
図１、及び、図２で示されるように、ランプは、透光管体１０を有し、透光管体１０の二端は、それぞれ、電極接点を設ける。本実施例中の電極接点は、挟線素子１２により、透光管体１０の二端上に固定されて、電極接点となり、電源を連接する。透光管体１０内に、導光体１４を設置し、導光体１４の一側は、反射膜１６を設け、導光体１４の一端上に、発光源１８を設置し、この発光源１８は、嵌設、或いは、粘設方式で、導光体１４上に設置される。発光源１８は、導線２０により、挟線素子１２に連接される。挟線素子１２が導線２０を挟固し、且つ、導線２０は、反射膜１６と透光管体１０の間に位置し、反射膜１６により、導線２０を遮蔽し、発光源１６は、発光ダイオード、及び、タングステン灯から選択でき、最後に、透光管体１０の挟線素子１２上に、金属保護素子２２を設置して、挟線素子１２と導線２０に提供する。金属保護素子２２は尖形でも、図３で示されるような形状でもよい。
【００１０】
両尖ランプは、導光体１０二端の発光源１８だけで点燈し、導光体１４の伝導と、反射膜１６の反射により、導光体１４を発光させる。この他、導光体１４の二端は、それぞれ、発光源１８を設置して、このランプの発光輝度を増加させる。この他、両尖ランプは、字形を配列するなど、使用上の美観性をも兼ね備え、発光源１８の色も変化させることが出来る。
【００１１】
本考案は、導光体１４により、光線を伝導して発光させ、公知技術が複数の発光ダイオードを使用する発光模式と比較して、電力消耗を大幅に減少させる。また、最少の発光ダイオードで大面積の発光効果を達成することが出来、この他、両尖ランプも、外観に、字形を配列したり、色を変化させるなど、変化を加えることが出来、使用上、美観性を兼ね備える。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１３】
【図１】本考案の断面図である。
【図２】本考案の分解断面図である。
【図３】もう一つの実施例による分解断面図である。
【符号の説明】
【００１４】
１０…透光管体
１２…挟線素子
１４…導光体
１６…反射膜
１８…発光源
２０…導線
２２…金属保護素子
【図１】
0003117109.tif 000003
【図２】
0003117109.tif 000004
【図３】
0003117109.tif 000005
(57)【要約】      （修正有）【課題】もやしを原材料とした新規な味のスナック菓子を提供する。【解決手段】味付けしたもやしを冷凍乾燥してもやしの形状のままに成形した成形もやしスナック菓子とした。【選択図】図１
0003117126.tif 000002
【実用新案登録請求の範囲】
【請求項１】
味付けしたもやしを冷凍乾燥して、もやしの形状のままに成形した成形もやしスナック菓子。
【請求項２】
味付けしたもやしを冷凍乾燥して、もやしの形状のままに形成した成形もやし食材。
【考案の詳細な説明】
【技術分野】
【０００１】
本考案は、もやしを材料としたスナック菓子で、成形もやしスナック菓子および成形もやし食材に関するものである。
【背景技術】
【０００２】
現在、スナック菓子には、じゃがいも、米、麦、莢豆など種々な食材を原料としているものがあるが、もやしを原材料としたスナック菓子は存在しない。
【０００３】
また、じゃがいも、米、麦、莢豆などのスナック菓子の食材は、収穫の時期が決まっており、何時でも容易に供給できるとは限らない。
【０００４】
これに対し、もやしの生産は５日〜７日程度で完了でき、年中何時でも供給が可能である。
【０００５】
さらに、スープや味噌汁の具、野菜サラダの中に加える食材として、新規な味の提供が待たれている。
【特許文献１】特開２００３−３０４８０５号公報
【考案の開示】
【考案が解決しようとする課題】
【０００６】
もやしを原材料とした、新規な味のスナック菓子は、現在のところ世の中には出回っていない。
【０００７】
じゃがいも、米、麦、莢豆などのスナック菓子の食材は、収穫の時期が決まっており、何時でも容易に供給が円滑にできないので、年中何時でも容易に供給できるもやしを用いて、スナック菓子の提供を容易にすることを目的としている。
【０００８】
さらに、スープや味噌汁の具、野菜サラダの中に加える食材として、新規な味を提供することを目的としている。
【課題を解決するための手段】
【０００９】
そこで、本考案は、もやしを原材料とした新規な味のスナック菓子を提供すべく、味付けしたもやしを冷凍乾燥してもやしの形状のままに成形した成形もやしスナック菓子とした。
【００１０】
また、本考案は、味付けしたもやしを冷凍乾燥して、もやしの形状のままに成形した成形もやし食材とした。
【考案の効果】
【００１１】
本考案は、上述のように、味付けしたもやしを冷凍乾燥してもやしの形状のままに成形した成形もやしスナック菓子としたので、もやしを原材料とした新規な味のスナック菓子を提供でき、また、年中何時でも容易に供給できるもやしを用いると、何時でもスナック菓子の提供を容易にすることができる。
【００１２】
また、本考案は、味付けしたもやしの形状のままに成形した成形もやし食材であるので、スープや味噌汁の具、野菜サラダの中に加える食材として、新規な味を提供できる。
【考案を実施するための最良の形態】
【００１３】
本考案を添付する図面に示す具体的な実施例に基づいて、以下詳細に説明する。
【００１４】
もやしをスナック菓子とするためには、味付けする必要がある。
【００１５】
味付けはスナック菓子の用途に応じて行う。例えば、塩味、ペッパー味、ガーリック味、チーズ味、ワサビ味、ごま味、カレー味、ビーフ味等がある。味付けは、もやしを薄味に漬けて煮たりして行う。
【００１６】
この味付けしたもやしの形状のままに保持しようとすると、そのもやしを冷凍乾燥庫に収容してもやしを冷凍乾燥する。
【００１７】
すると、もやしは冷媒により周囲から気化熱を奪われ冷却させられ、次に乾燥により湿気や水分を奪われて味付けしたもやしの形状がそのまま残る。
【００１８】
本考案の加工されたもやし１を容器２に収容した状態を模式的に図１に示す。
【００１９】
もやしは、なま物であって、形状が安定していないが、冷凍乾燥すると形状は図１に示すように、もやしの形状のままに成形されて安定する。
【００２０】
本考案は、味付けしたもやしを冷凍乾燥してもやしの形状のままに成形し、味付けした成形もやしスナック菓子で、現代出回っているポテトチップ等のスナック菓子と異なり、もやしの風味を活かした新規な味のスナック菓子が提供でき、大きな需要が見込まれる。      
【００２１】
また、年中何時でも容易に供給できるもやしを用いると、何時でもスナック菓子の提供を容易にすることができる。
【００２２】
さらに、本考案は、生鮮食品で日持ちがしないもやしを簡単にスナック菓子とすることができ、もやしの拡販に貢献することができる。
【００２３】
スープや味噌汁の具として使用される食材は限られており、今までに存在しない新規な味の食材の提供が待たれている。
【００２４】
そこで、前記のようにして開発した味付けしたもやしを冷凍して、もやしの形状のままに成形した成形もやし食材を用いると、塩味、ペッパー味、ガーリック味、チーズ味、ワサビ味、ごま味、カレー味、ビーフ味などのもやし味が提供できる。
【００２５】
野菜サラダは生野菜の中に肉・魚介・卵などを加え、ドレッシングやマヨネーズなどであえる料理であるが、この野菜サラダに加える肉・魚介・卵などの他に、今までに存在しない新規な味の提供が待たれている。
【００２６】
そこで、前記のようにして開発した味付けしたもやしを冷凍して、もやしの形状のままに成形した成形もやし食材を用いると、塩味、ペッパー味、ガーリック味、チーズ味、ワサビ味、ごま味、カレー味、ビーフ味などのもやし味が提供できる。
【産業上の利用可能性】
【００２７】
本考案は、生鮮食品の中でも、もやしについて述べたが、他の野菜にも利用できる。
【図面の簡単な説明】
【００２８】
【図１】本考案の具体的な一実施例の加工されたもやしを容器に収容した状態の模式図である。
【符号の説明】
【００２９】
１…もやし
２…容器
【図１】
0003117126.tif 000003
(57)【要約】      （修正有）【課題】紙幣を置き下から光を当てて、透かし部分を確認できるチャッシュトレーの提供。【解決手段】キャッシュトレーを薄い箱型とし、中に照明装置を取り付け、中から光を当てることで、その上に置いた紙幣の透かしを確認できる。【選択図】図１
0003117175.tif 000002
【実用新案登録請求の範囲】
【請求項１】
キャッシュトレーを箱型とし、箱の底に照明装置を組み込むことにより、紙幣を置いたときに底から照明をあてることにより、紙幣の透かし部分を瞬時に確認することが可能となる。
【考案の詳細な説明】
【考案の詳細な説明】
【考案が解決しようとする課題】
【０００１】        日本人は一般的に人（客）を「疑ってはいけない」等の道徳的感覚があり、高額紙幣を受け取ったときに、外国人のように光にかざして見たり、本物と比べて見たりすることができず、偽札の被害を被っていた。そこで、このキャッシュトレーを用いることにより、光にかざすのではなく光の上に置くことで紙幣の透かしを瞬時に確認することができ、偽札か本物なのかの判断が簡単に行うことが可能となる。
【課題を解決するための手段】
【０００２】        キャッシュトレー本体の底に照明装置を取り付け、透明・半透明板を通して紙幣を透かせる部分を設ける。
【考案の効果】
【０００３】        相手に気を使わずスムーズにお金を受け取り、透かし部分を確認できる。また、構造が簡単なので低コストで作れ、トレーの大きさをコンパクトで薄く製作することで、レジスターの一部として組み込むことにより置き場所に困らないし、レジスター周辺に置くことで自己防衛用品並びに犯罪防止効果がある。
【図面の簡単な説明】
【図１】 
【図１】本考案の分解図である」
【符号の説明】
１．  トレー蓋（透明又は半透明）−  上部
２．  照明装置                  −  内部
ａ．  照明灯
ｂ．  導線
ｃ．  電池
３．スイッチ・下箱              −  下部
ｄ．  スイッチ部分
【図１】
0003117175.tif 000003
【手続補正書】
【提出日】平成17年7月16日(2005.7.16)
【手続補正１】
【補正対象書類名】実用新案登録請求の範囲
【補正対象項目名】全文
【補正方法】変更
【補正の内容】
【実用新案登録請求の範囲】
【請求項１】
キャッシュトレーを箱型にし、上部・紙幣を置く部分を透明又は半透明にし、内部に照明装置を取り付け、紙幣を置いたときに光をあてることにより、紙幣のすかし部分を瞬時に確認出来るキャッシュトレー型紙幣の透かし確認機である。
【請求項２】
キャッシュトレーの大きさを小さく薄く製作することで、レジスターの一部に組み込むことが出来るキャッシュトレー型の透かし確認機である。